(57)【要約】【課題】  本発明は、チャンネル未登録の放送局の番組を録画予約する場合に録画予約処理を中止することなく円滑に録画予約可能な記録装置および予約方法を提供する。【解決手段】  記録装置１において録画予約する際に、ユーザが録画を希望した番組の放送局が記録装置１本体に予めチャンネル登録されていない場合（ＳＴ１６）、ＭＰＵ２０７はチャンネル登録画面を表示して、チャンネル登録処理へと進む。そして、このチャンネル登録画面にて必要な情報が入力され、未登録だったチャンネルの登録が行われると（ＳＴ２２）、録画予約画面に戻り、録画予約の処理を継続して行うこととなる（ＳＴ１７〜１９）。以降、この放送局における番組の録画予約の際には、チャンネル登録処理をすることなく録画予約が行えることとなる。【選択図】  図４
2005094124.tif 000002
【特許請求の範囲】
【請求項１】
受信可能な放送局と当該装置のチャンネルとを対応付けて記憶する記憶手段と、
外部から番組の放送時間及び放送局に関する情報を取得する取得手段と、
この取得した番組の録画予約を行う際に、上記取得した番組の放送局が上記記憶手段にてチャンネルと対応付けされているかを判断する判断手段と、
この判断手段により対応付けされていないと判断されると、上記取得した番組の放送局を当該装置のチャンネルと対応付けて上記記憶手段に記憶させるようチャンネル登録を実行する実行手段と、
この実行手段によるチャンネル登録が実行されると、上記取得手段によって取得した番組の放送時間と放送局に関する情報に基づいて録画予約を行う予約手段と、
を有することを特徴とする記録装置。
【請求項２】
上記実行手段は、
上記判断手段により対応付けされていないと判断されると、上記取得した番組の放送局に対応付けされたチャンネルがないことを通知する通知手段と、
この通知手段による通知後に外部から指示されたチャンネルと、上記取得した番組の放送局とを対応付けて上記記憶手段に記憶させる制御手段と、
を有することを特徴とする請求項１記載の記録装置。
【請求項３】
受信可能な放送局と当該装置のチャンネルとを対応付けて記憶する記憶手段を有する記録装置において番組の録画予約を行う予約方法において、
外部から番組の放送時間及び放送局に関する情報を取得するステップと、
この取得した番組の録画予約を行う際に、上記取得した番組の放送局が上記記憶手段にてチャンネルと対応付けされているかを判断するステップと、
この判断ステップにより対応付けされていないと判断されると、上記取得した番組の放送局を当該装置のチャンネルと対応付けて上記記憶手段に記憶させるようチャンネル登録を実行するステップと、
この実行ステップによるチャンネル登録が実行されると、上記取得手段によって取得した番組の放送時間と放送局に関する情報に基づいて録画予約を行うステップと、
を有することを特徴とする予約方法。
【請求項４】
上記実行ステップは、
上記判断ステップにより対応付けされていないと判断されると、上記取得した番組の放送局に対応付けされたチャンネルがないことを通知するステップと、
この通知後に外部から指示されたチャンネルと、上記取得した番組の放送局とを対応付けて上記記憶手段に記憶させるステップと、
を有することを特徴とする請求項３記載の予約方法。
【発明の詳細な説明】
【技術分野】
【０００１】
本発明は、外部の情報提供機関からの番組情報を取得することにより、ＴＶ番組等の番組の録画予約の登録を行う記録装置及び予約方法に関する。
【背景技術】
【０００２】
従来より録画再生装置には番組録画予約機能が設けられており、設定された時間になると設定されたチャンネルの番組が自動的に録画されるようになっていた。近年、録画再生装置をインターネット接続して、番組情報を提供する外部の番組情報提供機関から、番組表を取得し、この取得した番組表の中から録画予約したい番組名を選択することにより、番組の録画予約を行う装置が開発されている（例えば特許文献１参照。）。
【特許文献１】特開２０００−１０１９６５号公報
【発明の開示】
【発明が解決しようとする課題】
【０００３】
しかしながら、従来の装置は、番組情報提供機関から取得した番組表において、どの番組を選択しても番組予約できるかのように記載されているが、実際には、同じ放送業者による放送であっても、地域によって録画再生装置や受信装置で認識しているチャンネルは異なっており、これら各装置に予めチャンネル番号と放送業者による放送との対応情報を登録しておく必要があり、この対応が登録されていない場合を全く考慮しておらず、この点については何ら記載されていない。即ち、提供された番組表から当該装置に対応するチャンネル番号を登録していない放送を選択すると、それ以降の録画予約操作を継続することはできず、録画予約操作を中止（断念）し、チャンネル番号と放送との対応を登録する処理を実行した後、再度録画予約を最初からやり直す必要があった。
【０００４】
本発明は、以上の点に鑑みなされたもので、チャンネル未登録の放送局の番組を録画予約する場合に録画予約処理を中止することなく円滑に録画予約可能な記録装置および予約方法を提供することを目的とする。
【課題を解決するための手段】
【０００５】
上記目的を達成するために、本発明の記録装置は、受信可能な放送局と当該装置のチャンネルとを対応付けて記憶する記憶手段と、外部から番組の放送時間及び放送局に関する情報を取得する取得手段と、この取得した番組の録画予約を行う際に、上記取得した番組の放送局が上記記憶手段にてチャンネルと対応付けされているかを判断する判断手段と、この判断手段により対応付けされていないと判断されると、上記取得した番組の放送局を当該装置のチャンネルと対応付けて上記記憶手段に記憶させるようチャンネル登録を実行する実行手段と、この実行手段によるチャンネル登録が実行されると、上記取得手段によって取得した番組の放送時間と放送局に関する情報に基づいて録画予約を行う予約手段と、を有することを特徴とする。
【０００６】
上記目的を達成するために、本発明の予約方法は、受信可能な放送局と当該装置のチャンネルとを対応付けて記憶する記憶手段を有する記録装置において番組の録画予約を行う予約方法において、外部から番組の放送時間及び放送局に関する情報を取得するステップと、この取得した番組の録画予約を行う際に、上記取得した番組の放送局が上記記憶手段にてチャンネルと対応付けされているかを判断するステップと、この判断ステップにより対応付けされていないと判断されると、上記取得した番組の放送局を当該装置のチャンネルと対応付けて上記記憶手段に記憶させるようチャンネル登録を実行するステップと、この実行ステップによるチャンネル登録が実行されると、上記取得手段によって取得した番組の放送時間と放送局に関する情報に基づいて録画予約を行うステップと、を有することを特徴とする。
【発明の効果】
【０００７】
本発明によれば、チャンネル未登録の放送局の番組を録画予約する場合に録画予約処理を中止することなく円滑に録画予約できる。
【発明を実施するための最良の形態】
【０００８】
以下、本発明に係る実施の形態について図面を参照して詳細に説明する。図１は、本発明の記録装置１を用いたシステム構成を示す図である。
【０００９】
図１に示すシステムは、記録装置としてのＨＤＤ／ＤＶＤレコーダ１と、このＨＤＤ／ＤＶＤレコーダ１に無線あるいは有線２で接続されたモニタ３と、ＨＤＤ／ＤＶＤレコーダ１に例えばイーサネット（Ｅｔｈｅｒｎｅｔ：登録商標）４で接続された番組情報提供機関の番組情報ＤＢ（データベース）５で構成される。
【００１０】
ＨＤＤ／ＤＶＤレコーダ１は、テレビジョン放送番組等を録画再生する機能の他、録画した番組のタイトルを番組と共に記録する機能を有し、リモートコントローラ部及び操作入力部で構成されるリモコン装置６を介して、ユーザによって機能の切り替えや調整、各種指示や情報の入力が行われる。
【００１１】
モニタ３は、例えばテレビジョン受信機で構成され、ＨＤＤ／ＤＶＤレコーダ１の再生映像信号を映出し、また再生音声信号を音として出力するモニタとしての機能と、ＨＤＤ／ＤＶＤレコーダ１の初期設定のためのメニュー画面の表示、あるいは機能の調整状況等を表示する機能を有する。
【００１２】
番組情報データベース５は、番組に関する情報を提供するサーバーで、例えば録画予約に必要な情報（番組名、開始時刻、終了時刻、放送局名等の情報）や放送時間に変更があった場合の情報等を保持し、外部からの要求に応じて各種情報を提供する。
【００１３】
以上のように構成されたシステムにおいて、ユーザはＨＤＤ／ＤＶＤレコーダ１における録画予約を行おうとする場合、まずリモコン装置６によって、ＥＰＧ画面等を用いて録画予約したい番組を選択する。それによって、ＨＤＤ／ＤＶＤレコーダ１は、選択された番組の情報をネットを介して番組情報データベース５より入手し、入手した番組情報のチャンネルが、ＨＤＤ／ＤＶＤレコーダ１に予め登録されているチャンネルであるかを判断し、未登録のチャンネルであると判断された場合にチャンネル登録用の画面を表示することによりチャンネル登録処理へと自動的に移行し、ユーザによってリモコン装置６を介してチャンネルの登録が指示されると、録画予約画面へと戻り録画予約処理へと自動的に移行する。
【００１４】
図２は、図１に示すＨＤＤ／ＤＶＤレコーダ１の具体的な回路構成を示す回路ブロック図である。図２において、ＨＤＤ／ＤＶＤレコーダ１は、ＴＶ（Television）チューナ２０１、ＡＶ入力部２０２、エンコーダ部２０３、ディスクドライブ部２０４、デコーダ部２０５、ＡＶ出力部２０６、ＭＰＵ（Micro Processing Unit）２０７、メモリ２０８、操作入力部２０９、リモコンＩ／Ｆ（Interface）２１０、通信制御部２１１を備えている。
【００１５】
ＴＶ（Ｔｅｌｅｖｉｓｉｏｎ）チューナ２０１は、図示しないアンテナに接続され、このアンテナを介して供給されるアナログテレビジョン放送信号の所望のチャネルを選局して復調し、ベースバンドのテレビジョンコンポジット信号としてエンコーダ部２０３に送る。ＡＶ（Ａｕｄｉｏ  Ｖｉｓｕａｌ）入力部２０２は、外部のオーディオ・ビデオ機器等から出力されるＡＶ信号を入力し、それをエンコーダ部２０３に送る。
【００１６】
エンコーダ部２０３は、ＭＰＵ２０７の制御の下、ＴＶチューナ２０１またはＡＶ入力部２０２から供給されるアナログベースバンドＡＶ信号をデジタル圧縮符号化された信号に変換するエンコード処理を実行する。このエンコード処理によって、ＡＶ信号は、例えばＭＰＥＧ（Ｍｏｖｉｎｇ  Ｐｉｃｔｕｒｅ  Ｅｘｐｅｒｔｓ  Ｇｒｏｕｐ）２規格または、ＤＶＤフォーマット等に対応した圧縮符号化デジタルデータ列として出力される。
【００１７】
ディスクドライブ部２０４は、ＭＰＵ２０７の制御の下、ＤＶＤディスクＤＶＤ及びハードディスクＨＤに対して、圧縮符号化されたデジタルデータ列に変換されたＡＶ信号を記録する処理、及びＤＶＤディスクＤＶＤ及びハードディスクＨＤからＡＶ信号を読み出す処理を実行するもので、この処理を行うために、図示しないディスクドライブと、一時記憶部を有している。そして、ディスクドライブ部は、ＤＶＤディスクＤＶＤ及びハードディスクＨＤのいずれかまたは、両方を個々に駆動することが可能である。一時記憶部は、ディスクドライブへの書き込みデータまたはディスクドライブからの読み出しデータを一時的に保存するためのバッファメモリである。
【００１８】
ＤＶＤディスクＤＶＤ及びハードディスクＨＤから読み出されたデータは、ディスクドライブ部２０４からデコーダ部２０５に送られ、デコーダ部２０５では、ＭＰＵ２０７の制御の下、圧縮符号化されたＡＶ信号を複合するためのデコード処理を実行する。このデコード処理によって複合されたＡＶ信号は、ＡＶ出力部２０６を介してモニタ３へ出力される。
【００１９】
ＭＰＵ２０７は、ＨＤＤ／ＤＶＤレコーダ１の動作を制御するために設けられたメインＣＰＵ（Ｃｅｎｔｒａｌ  Ｐｒｏｃｅｓｓｉｎｇ  Ｕｎｉｔ）である。ＭＰＵ２０７は、メモリ２０８に記憶されたプログラムに従って、各部の制御を行う他、メモリ２０８に蓄えられた文字、記号、キャラクタ等のデータに基づき、ＨＤＤ／ＤＶＤレコーダ１の例えば初期設定等のためのＧＵＩ（Ｇｒａｐｈｉｃａｌ  Ｕｓｅｒ  Ｉｎｔｅｒｆａｃｅ）形式のメニュ画面信号を生成する機能を有する。それら画面信号は、デコーダ部２０５を介してＡＶ出力部２０６からＯＳＤ（Ｏｎ  Ｓｃｒｅｅｎ  Ｄｉｓｐｌａｙ）信号として出力することが可能である。
【００２０】
メモリ２０８は、ＨＤＤ／ＤＶＤレコーダ１をＭＰＵ２０７により処理される各種プログラムを保持すると共に、ＭＰＵ２０７のワークエリアとして提供される。また、メモリ２０８は、後述する図３に示すように、チャンネル登録情報テーブルを保持している。
【００２１】
操作入力部２０９は、ＨＤＤ／ＤＶＤレコーダ１の前面パネルに設けられた複数の操作ボタンで構成され、ＨＤＤ／ＤＶＤレコーダ１の動作を設定し、機能を制御するための信号をＭＰＵ２０７に出力する。リモコンＩ／Ｆ２１０は、リモコン装置６から送信されるリモートコントロール信号を受信してそれをＭＰＵ２０７に伝送する。
【００２２】
通信制御部２１１は、ＨＤＤ／ＤＶＤレコーダ１をネットワーク４に接続するためのデバイスであり、ネットワーク４を介して番組情報データベース５との通信を実行するものでネットワークインターフェースコントローラで構成される。通信制御部２１１は、伝送するデータを所定のプロトコルの信号に変換すると共に、送られてくるプロトコル信号を元の信号に変換する。
【００２３】
図３を用いて、メモリ２０８に登録されているチャンネル登録情報テーブルについて説明する。図３に示すように、チャンネル登録情報テーブルは、初期設定として、東京２３区内において受信可能な主要な地上波アナログテレビ放送局と、東京２３区内で使用されているチャンネル番号とを対応させるようテーブル形式でメモリ２０８に登録されている。また、この初期設定以外に、ユーザによってマニュアル操作で放送局とチャンネル番号とを対応付けできるようになっている。
【００２４】
本実施例では、チャンネル登録情報テーブルとして、登録番号、本体ＣＨポジション、チャンネル名、チャンネルコードおよび局コード等の情報を登録するようになっている。図３に示すチャンネル登録情報テーブルの登録内容は、例えば、登録番号「０１」として本体ＣＨポジション「ＣＨ１（１チャンネル）」が選択されており、この「ＣＨ１」に対して放送局としてチャンネル名「ＡＢＣ総合」が対応付けられている。
【００２５】
また、登録番号「０２」として本体ＣＨポジション「ＣＨ４（４チャンネル）」が選択されており、この「ＣＨ４」に対して放送局としてチャンネル名「ＣＤＥテレビ」、チャンネルコード「３３」、局コード「ｂｂｂｂｂ」が対応付けられている。また、登録番号「０３」として本体ＣＨポジション「ＣＨ１０（１０チャンネル）」が選択されており、この「ＣＨ１０」に対して放送局としてチャンネル名「ＥＦＧテレビ」が対応付けられている。また、登録番号「０４」以降については未登録の状態となっている。
【００２６】
次に、図４に示すフローチャート図を用いて、上述するシステムにおける録画予約の処理について説明する。
【００２７】
図４に示すように、ユーザによりリモコン装置６を用いてＥＰＧ画面の表示が指示されると、ＨＤＤ／ＤＶＤレコーダ１のＭＰＵ２０７は、通信制御部２１１を制御してネットワーク４を介して番組情報データベース５と接続して番組情報データベース５よりＥＰＧ画面を取得し、例えば図５に示すように、ＥＰＧ画面をモニタ３に表示する（ステップＳＴ１１）。
【００２８】
ＳＴ１１でモニタ３に表示されたＥＰＧ画面から、ユーザによってリモコン装置６を用いて例えば番組２０が選択されると（ステップＳＴ１２のＹｅｓ）、ＭＰＵ２０７は、通信制御部２１１を制御してネットワーク４を介して番組情報データベース５と接続する。そしてＭＰＵ２０７は、番組情報データベース５より選択された番組に関する情報を取得し、メモリ２０８に保存すると共に、この取得した番組に関する情報を、例えば図６に示すように、番組情報画面としてモニタ３に表示する（ステップＳＴ１３）。
【００２９】
この番組情報画面において、モニタ３に表示される番組に関する情報２１としては、例えば番組名、放送日、開始時間、終了時間、放送局名、番組内容の紹介等が挙げられる。また、ＳＴ１３において、番組に関する情報と共に、モニタ３には［録画予約］ボタン２２および［戻る］ボタン２３が表示される。
【００３０】
本実施例では、ＳＴ１２で選択されＳＴ１３で取得した番組２０に関する情報として、番組情報画面には、図６に示すように、番組に関する情報２１として、番組名「Ｄｒａｍａ」、放送日「９月４日（木）」、開始時間「７：００ＰＭ」、終了時間「８：５６ＰＭ」、放送局名「ＡＢＣ総合」および番組内容「このドラマは・・・。」が表示されている。
【００３１】
ＳＴ１３でモニタ３に表示された番組情報画面において、ユーザによってリモコン装置６を介して［戻る］ボタン２３が指示されると（ステップＳＴ１４のNo）、ＭＰＵ２０７は、ＳＴ１１の処理に戻り、モニタ３にＥＰＧ表示画面を表示する。
【００３２】
ＳＴ１３でモニタ３に表示された番組情報画面において、ユーザによってリモコン装置６を介して［録画予約］ボタン２２が指示されると（ステップＳＴ１４のＹｅｓ）、ＭＰＵ２０７は、メモリ２０８に保存されている番組に関する情報から放送局名に関する情報を抽出し、この放送局名に基づいてメモリ２０８に登録されているチャンネル登録情報テーブルを検索し、既に登録された放送局であるかを確認する（ステップＳＴ１５）。
【００３３】
ここで本実施例では、図６に示す放送局「ＡＢＣ総合」は、図３に示すチャンネル登録情報テーブルにおいて、登録番号「０１」として既に登録されている。従って、ＳＴ１５の確認の結果、ＭＰＵ２０７は放送局「ＡＢＣ総合」はチャンネル情報「ＣＨ１」で登録済みであると判断し（ステップＳＴ１６のＹｅｓ）、予約情報を確認するために表示するメニュー画面信号を作成し、ＳＴ１２で選択されＳＴ１３で取得しメモリ２０８に保存した番組に関する情報をあてはめて、図７に示すように、予約情報確認画面としてモニタ３に表示する（ステップＳＴ１７）。
【００３４】
この予約情報確認画面において、モニタ３に表示される情報は、番組に関する情報２１のうち、例えば予約名として番組名、録画日として放送日、開始時刻、終了時刻および番組解説に加えて、更に登録されているチャンネル情報３１、記録先としてＨＤＤまたはＤＶＤの選択欄３２等が挙げられる。また、これらの情報の他に［登録］ボタン３３及び［戻る］ボタン３４が表示される。
【００３５】
ＳＴ１７でモニタ３に表示された予約情報確認画面において、ユーザによってリモコン装置６を介して［戻る］ボタン３２が指示されると（ステップＳＴ１８の［戻る］）、ＭＰＵ２０７は、ＳＴ１３の処理へと戻り、モニタ３に番組情報画面を表示する。
【００３６】
ＳＴ１７でモニタ３に表示された予約情報確認画面において、ユーザによってリモコン装置６を介して［登録］ボタン３３が指示され、録画予約する旨の入力を受信すると（ステップＳＴ１８の［登録］）、ＭＰＵ２０７は、メモリ２０８に保存されている番組に関する情報と、チャンネル情報３１と、記録先３２を予約番組情報として登録しなおすと共に、図示せぬタイマをセットして待機状態へと移行する（ステップＳＴ１９）。
【００３７】
次に、ＳＴ１１でモニタ３に表示された図８に示すＥＰＧ画面から、ユーザによってリモコン装置６を用いて例えば番組４０が選択されると（ステップＳＴ１２のＹｅｓ）、ＭＰＵ２０７は、通信制御部２１１を制御してネットワーク４を介して番組情報データベース５と接続する。そしてＭＰＵ２０７は、番組情報データベース５より選択された番組に関する情報を取得し、メモリ２０８に保存すると共に、この取得した番組に関する情報を、例えば図９に示すように、番組情報画面としてモニタ３に表示する（ステップＳＴ１３）。
【００３８】
本実施例では、ＳＴ１２で選択されＳＴ１３で取得した番組４０に関する情報として、番組情報画面には、図９に示すように、番組に関する情報２１として、番組名「Ｓｏｃｃｅｒ」、放送日「９月５日（金）」、開始時間「６：００ＰＭ」、終了時間「８：５４ＰＭ」、放送局名「ＡＢＣ衛星」および番組内容「ＨＨＨＨｖｓ．ＪＪＪＪ」が表示されている。
【００３９】
ＳＴ１３でモニタ３に表示された番組情報画面において、ユーザによってリモコン装置６を介して［録画予約］ボタン２２が指示されると（ステップＳＴ１４のＹｅｓ）、ＭＰＵ２０７は、メモリ２０８に保存されている番組に関する情報から放送局名に関する情報「ＡＢＣ衛星」を抽出し、この放送局名に基づいてメモリ２０８に登録されているチャンネル登録情報テーブルを検索し、既に登録された放送局であるかを確認する（ステップＳＴ１５）。
【００４０】
ＳＴ１５の確認の結果、ＭＰＵ２０７は放送局「ＡＢＣ衛星」は未登録であると判断すると（ステップＳＴ１６のＮｏ）、まず予約情報を確認するために表示するメニュー画面信号を作成し、ＳＴ１２で選択されＳＴ１３で取得しメモリ２０８に保存した番組に関する情報をはめ込み、チャンネル情報３１にはチャンネル未登録のため「チャンネルなし」とはめ込み、図１０に示すように、予約情報確認画面としてモニタ３に表示する。
【００４１】
更に、MPU２０７は、チャンネル番号を登録するために表示するメニュー画面信号を作成し、図１１に示すチャンネル名欄４１にＳＴ１２で選択されＳＴ１３で取得しメモリ２０８に保存した番組に関する情報のうちの放送局名をはめ込んで、チャンネル登録画面として、予約情報確認画面よりも手前にウィンドウが表示されるようにモニタ３に表示する。この際、本実施例では、チャンネル登録画面の一部に、メモリ２０８に保存されているチャンネル登録情報テーブルに関する情報４８も表示している（ステップＳＴ２０）。
【００４２】
このチャンネル登録画面において、ユーザによってリモコン装置６を介して［閉じる］ボタン４７が指示されると（ステップＳＴ２１のＮｏ）、ＭＰＵ２０７は、チャンネル登録及び録画予約に関する一連の処理を終了する。
【００４３】
このチャンネル登録画面において、ユーザによってリモコン装置６を介して、図１１に示す登録番号欄４２にて登録番号が選択され、本体側ＣＨポジション４３にてチャンネル番号が選択され、［登録］ボタン４６が指示されると（ステップＳＴ２１のＹｅｓ）、ＭＰＵ２０７は、チャンネル登録画面にて選択された各種情報をメモリ２０８のチャンネル登録情報テーブルの対応する箇所に保存する。
【００４４】
ＳＴ２２による登録の結果、メモリ２０８に保存されているチャンネル登録情報テーブルの登録番号「０５」には、図１２に示すように、本体ＣＨポジション「ＢＳ７」およびチャンネル名「ＡＢＣ衛星」等の情報が対応付けされて登録される。
【００４５】
次に、チャンネル登録画面のウィンドウ下に表示されている予約情報確認画面のチャンネル情報３１を、図１３に示すように、ＳＴ２２で登録した「ＡＢＣ衛星」に対応するチャンネル情報「ＢＳ７」に切替表示し、チャンネル登録画面のウィンドウをモニタ３から消す（ステップＳＴ２２）。そして、以降、この放送局「ＡＢＣ衛星」における番組の録画予約の際には、チャンネル登録処理をすることなく録画予約が行えることとなる。
【００４６】
そしてＳＴ２２によるチャンネル登録処理が終了すると、ＭＰＵ２０７はＳＴ１７における図１３に示すような予約情報確認画面を表示した状態へと戻り、以降、ユーザによるリモコン装置６を介して入力される指示内容に基づき、録画予約処理を継続する（ステップＳＴ１７〜ＳＴ１９）。
【００４７】
例えば、次に、ＳＴ１１でモニタ３に表示された図１４に示すＥＰＧ画面から、ユーザによってリモコン装置６を用いて例えば番組５０が選択されると（ステップＳＴ１２のＹｅｓ）、ＭＰＵ２０７は、通信制御部２１１を制御してネットワーク４を介して番組情報データベース５と接続する。そしてＭＰＵ２０７は、番組情報データベース５より選択された番組に関する情報を取得し、メモリ２０８に保存すると共に、この取得した番組に関する情報を、例えば図１５に示すように、番組情報画面としてモニタ３に表示する（ステップＳＴ１３）。
【００４８】
本実施例では、ＳＴ１２で選択されＳＴ１３で取得した番組５０に関する情報として、番組情報画面には、図１５に示すように、番組に関する情報２１として、番組名「Ｎｅｗｓ」、放送日「９月５日（金）」、開始時間「９：００ＰＭ」、終了時間「１０：００ＰＭ」、放送局名「ＡＢＣ衛星」および番組内容「このニュースは、・・・。」が表示されている。
【００４９】
ＳＴ１３でモニタ３に表示された番組情報画面において、ユーザによってリモコン装置６を介して［録画予約］ボタン２２が指示されると（ステップＳＴ１４のＹｅｓ）、ＭＰＵ２０７は、メモリ２０８に保存されている番組に関する情報から放送局名に関する情報「ＡＢＣ衛星」を抽出し、この放送局名に基づいてメモリ２０８に登録されているチャンネル登録情報テーブルを検索し、既に登録された放送局であるかを確認する（ステップＳＴ１５）。
【００５０】
ここで「ＡＢＣ衛星」は、図１３に示すように、チャンネル登録情報テーブルにおいて、登録番号「０５」として登録されている。従って、ＳＴ１５の確認の結果、ＭＰＵ２０７は放送局「ＡＢＣ衛星」はチャンネル情報「ＢＳ７」で登録済みであると判断し（ステップＳＴ１６のＹｅｓ）、予約情報を確認するために表示するメニュー画面信号を作成し、ＳＴ１２で選択されＳＴ１３で取得しメモリ２０８に保存した番組に関する情報をはめ込み、チャンネル情報３１には「ＢＳ７」とはめ込み、図１６に示すように、予約情報確認画面としてモニタ３に表示する（ステップＳＴ１７）。
【００５１】
ＳＴ１７でモニタ３に表示された予約情報確認画面において、ユーザによってリモコン装置６を介して［戻る］ボタン３２が指示されると（ステップＳＴ１８の［戻る］）、ＭＰＵ２０７は、ＳＴ１３の処理へと戻り、モニタ３に番組情報画面を表示する。
【００５２】
ＳＴ１７でモニタ３に表示された予約情報確認画面において、ユーザによってリモコン装置６を介して［登録］ボタン３３が指示され、録画予約する旨の入力を受信すると（ステップＳＴ１８の［登録］）、ＭＰＵ２０７は、メモリ２０８に保存されている番組に関する情報と、チャンネル情報３１と、記録先３２を予約番組情報として登録しなおすと共に、図示せぬタイマをセットして待機状態へと移行する（ステップＳＴ１９）。
【００５３】
上述したように、本実施例では、外部から録画予約したい番組の放送時間や放送局等の情報を取得して録画予約を行う際に、この番組の放送局が記録装置にチャンネル未登録の場合、チャンネル登録の処理へと移り、ユーザによって対応付けするチャンネルが指示されると放送局と指示されたチャンネルとを対応付けて記憶してチャンネル登録を実行する。また、チャンネル登録が済むと、元の録画予約の処理へと戻る。そして、この際のチャンネル登録は以降の処理でも反映され、この放送局の番組はチャンネル登録することなく録画予約できるようになる。
【００５４】
これにより、外部の番組情報提供機関から取得した番組表を用いて録画予約を行う際に、チャンネル未登録の放送局の番組が選択された場合でも、録画予約処理を中止することなく、チャンネル登録を実行できる。またチャンネル登録後、残りの録画予約処理を継続して実行でき、チャンネル未登録の放送局の番組も円滑に録画予約できるという効果を奏する。
【図面の簡単な説明】
【００５５】
【図１】本発明の実施形態における記録装置１を用いたシステム構成を示す図。
【図２】ＨＤＤ／ＤＶＤレコーダ１の具体的な回路構成を示す回路ブロック図。
【図３】メモリ２０８に保存されているチャンネル登録情報テーブルを示す図。
【図４】録画予約の処理を示すフローチャート図。
【図５】モニタ３に表示されたＥＰＧ画面を示す図。
【図６】モニタ３に表示された番組情報画面を示す図。
【図７】モニタ３に表示された予約情報確認画面を示す図。
【図８】モニタ３に表示されたＥＰＧ画面を示す図。
【図９】モニタ３に表示された番組情報画面を示す図。
【図１０】モニタ３に表示された予約情報確認画面を示す図。
【図１１】モニタ３に表示されたチャンネル登録画面を示す図。
【図１２】メモリ２０８に保存されているチャンネル登録情報テーブルを示す図。
【図１３】モニタ３に表示された予約情報確認画面を示す図。
【図１４】モニタ３に表示されたＥＰＧ画面を示す図。
【図１５】モニタ３に表示された番組情報画面を示す図。
【図１６】モニタ３に表示された予約情報確認画面を示す図。
【符号の説明】
【００５６】
１    記録装置（ＨＤＤ／ＤＶＤレコーダ）
３    モニタ
５    番組情報データベース
６    リモコン装置
２０、４０、５０    番組
２１    番組に関する情報
３１    チャンネル情報欄
３２    記録先欄
２０１    ＴＶチューナ
２０２    ＡＶ入力部
２０３    エンコーダ部
２０４    ディスクドライブ部
２０５    デコーダ部
２０６    ＡＶ出力部
２０７    ＭＰＵ
２０８    メモリ
２０９    操作入力部
２１０    リモコンＩ／Ｆ
２１１    通信制御部
【図１】
2005094124.tif 000003
【図２】
2005094124.tif 000004
【図３】
2005094124.tif 000005
【図４】
2005094124.tif 000006
【図５】
2005094124.tif 000007
【図６】
2005094124.tif 000008
【図７】
2005094124.tif 000009
【図８】
2005094124.tif 000010
【図９】
2005094124.tif 000011
【図１０】
2005094124.tif 000012
【図１１】
2005094124.tif 000013
【図１２】
2005094124.tif 000014
【図１３】
2005094124.tif 000015
【図１４】
2005094124.tif 000016
【図１５】
2005094124.tif 000017
【図１６】
2005094124.tif 000018